(57)【特許請求の範囲】
【請求項１】
音声の記録が可能なカメラにおいて、
第１の押し込みストロークにより第１ＳＷをＯＮし、前記第１の押し込みストロークより大きい第２の押し込みストロークにより第２ＳＷをＯＮするシャッタボタンと、
音声の記録を行うための音声モードを設定するモード設定手段と、
外部の音声を記録するための音声記録手段と、
前記シャッタボタンの操作に応じて、各部の動作を制御する制御手段と、
を備え、
前記制御手段は、前記モード設定手段で音声モードが設定された際には、前記第２ＳＷのＯＮにより音声の記録を開始し、前記第１および第２ＳＷのオフ後、再び第１ＳＷがＯＮされた場合に、ミュート処理を開始するとともに、前記第２ＳＷがＯＮされた場合に、音声の記録を停止することを特徴とするカメラ。
【請求項２】
音声および動画の記録が可能なカメラにおいて、
第１の押し込みストロークにより第１ＳＷをＯＮし、前記第１の押し込みストロークより大きい第２の押し込みストロークにより第２ＳＷをＯＮするシャッタボタンと、
動画および音声の記録を行うための動画モードを設定するモード設定手段と、
外部の音声を記録するための音声記録手段と、
前記シャッタボタンの操作に応じて、各部の動作を制御する制御手段と、
を備え、
前記制御手段は、前記モード設定手段で動画モードが設定された際には、前記第１ＳＷのＯＮにより撮影準備動作を実行し、前記第２ＳＷのＯＮにより動画および音声の記録を開始し、前記第１および第２ＳＷのオフ後、再び第１ＳＷがＯＮされた場合に、ミュート処理を開始するとともに、前記第２ＳＷがＯＮされた場合に、動画および音声の記録を停止することを特徴とするカメラ。
【発明の詳細な説明】
【０００１】
【発明の属する技術分野】
本発明は、カメラおよびコンピュータで実行するためのプログラムに関し、詳細には、音声の記録が可能なデジタルカメラ等のカメラおよびコンピュータで実行するためのプログラムに関する。
【０００２】
【従来の技術】
近年、デジタルスチルカメラの高機能化が進んでおり、静止画像の記録だけではなく、音声の記録や音声付きの動画の記録が可能な機種も登場してきている。かかるデジタルスチルカメラでは、カメラという性格上、その記録開始や停止の操作ボタンとしてシャッタボタンが一般的に使用される。通常、シャッタボタンは、その一回目の操作で、記録を開始し、２回目の操作でその記録を停止する。また、シャッタボタンは、自動焦点合わせ（ＡＦ）および自動側光（ＡＥ）を起動する第１ＳＷと、実際に撮影動作を起動する第２ＳＷとからなるのが一般的である。この場合、第１ＳＷは軽い力量でオンし、第２ＳＷは第１ＳＷより重い力量でオンするように設計されることが多くなっている。
【０００３】
このため、音声や動画の記録時に、第２ＳＷの操作メカ音が、音声ファイルや動画ファイルの最後に記録されてしまうことがある。また、第２ＳＷは力量が重いため、手ぶれが生じる虞がある。
【０００４】
上記問題を解決する技術としては、例えば、記録停止時に、記録データの最後の音声または動画データを削除する方式が公知である。かかる技術では、一度、外部記録媒体に書き込んだデータを、再びカメラに読み込んで消去・編集するなどの処理が必要となるため、制御が複雑になってしまう。さらに、動画の場合は、音声に同期する画像の消去も必要となる。
【０００５】
また、特開平８−２９３１５６号公報では、音声を集音する集音手段と、集音手段によって集音された音声を記録する記録手段と、音声記録時の操作音を打ち消す信号を前記集音手段の集音信号に重畳する消音手段とを備えることにより、操作音をうち消す音を発生させ、操作音を打ち消す技術が開示されているが、かかる技術では、別途、音声発生機構を設ける必要があり、また、制御も複雑になってしまう。
【０００６】
【発明が解決しようとする課題】
本発明は、上記に鑑みてなされたものであり、音声の記録が可能なカメラにおいて、簡単な制御および構成により、音声の記録の停止を操作するボタンの操作音が記録されるのを可及的に防止可能なカメラおよびコンピュータが実行するためのプログラムを提供することを目的とする。
【０００７】
【課題を解決するための手段】
上記課題を解決するために、請求項１にかかる発明は、音声の記録が可能なカメラにおいて、第１の押し込みストロークにより第１ＳＷをＯＮし、前記第１の押し込みストロークより大きい第２の押し込みストロークにより第２ＳＷをＯＮするシャッタボタンと、音声の記録を行うための音声モードを設定するモード設定手段と、外部の音声を記録するための音声記録手段と、前記シャッタボタンの操作に応じて、各部の動作を制御する制御手段と、を備え、前記制御手段は、前記モード設定手段で音声モードが設定された際には、前記第２ＳＷのＯＮにより音声の記録を開始し、前記第１および第２ＳＷのオフ後、再び第１ＳＷがＯＮされた場合に、ミュート処理を開始するとともに、前記第２ＳＷがＯＮされた場合に、音声の記録を停止するものである。
【００１３】
また、請求項２にかかる発明は、音声および動画の記録が可能なカメラにおいて、第１の押し込みストロークにより第１ＳＷをＯＮし、前記第１の押し込みストロークより大きい第２の押し込みストロークにより第２ＳＷをＯＮするシャッタボタンと、動画および音声の記録を行うための動画モードを設定するモード設定手段と、外部の音声を記録するための音声記録手段と、前記シャッタボタンの操作に応じて、各部の動作を制御する制御手段と、を備え、前記制御手段は、前記モード設定手段で動画モードが設定された際には、前記第１ＳＷのＯＮにより撮影準備動作を実行し、前記第２ＳＷのＯＮにより動画および音声の記録を開始し、前記第１および第２ＳＷのオフ後、再び第１ＳＷがＯＮされた場合に、ミュート処理を開始するとともに、前記第２ＳＷがＯＮされた場合に、動画および音声の記録を停止するものである。
【００１６】
【発明の実施の形態】
以下、図面を参照して、本発明にかかるカメラおよびコンピュータが実行するためのプログラムを適用したデジタルカメラの好適な実施の形態を、（実施の形態１）、（実施の形態２）の順に詳細に説明する。
【００１７】
（実施の形態１）
図１は、実施の形態１にかかるデジタルカメラの構成を示すブロック図である。同図に示すデジタルカメラは、レンズ１、メカニカルシャッタ２、ＣＣＤ３、ＣＤＳ・Ａ／Ｄ変換部４、ＤＳＰ部５、ドライバ部６、ＣＣＤ駆動回路部７、ＣＰＵ８、メモリ９、通信ドライバ部１０、メモリカード１１、表示部１２、ＳＷ部１３、外部装置Ｉ１４、外部装置ＩＩ１５、音声ＣＯＤＥＣ部１６、入力アナログ部１７、出力アナログ部１８、ＦＬＡＳＨ−ＲＯＭ１９、ネットワーク通信部２０を備えている。
【００１８】
レンズ１は、被写体を結像するためのものである。ＣＣＤ３は、レンズ１により結像された被写体像を電気信号に変換して、アナログの画像データとしてＣＤＳ・Ａ／Ｄ変換部４に出力する。ＣＤＳ・Ａ／Ｄ変換部４は、ＣＣＤ３から入力されるアナログの画像データを相関二重サンプリングした後、Ａ／Ｄ変換を行って、デジタルの画像データをＤＳＰ部５に出力する。
【００１９】
ＤＳＰ部５は、入力される画像データに対して各種画像処理を施したり、画像データの圧縮／伸張処理を行い、また、音声データに対して圧縮／伸張処理を行うユニットである。具体的には、ＤＳＰ部５は、例えば、ＣＤＳ・Ａ／Ｄ変換部４から入力される画像データを、ＹＵＶデータ（輝度Ｙデータ、色差Ｕ、Ｖデータ）に変換し、変換したＹＵＶデータをＪＰＥＧ方式に準拠した圧縮方式で圧縮処理する。また、ＤＳＰ部５は、例えば、音声ＣＯＤＥＣ部１６から入力されるデジタルの音声データを圧縮処理する。
【００２０】
ドライバ部６は、ＣＰＵ８から入力される制御信号に応じて、レンズ１およびメカニカルシャッタ２を駆動し、レンズ１のフォーカス駆動やメカニカルシャッタ２の開閉駆動を行う。ＣＣＤ駆動回路部７は、ＣＰＵ８から入力される制御信号に基づいて、ＣＣＤ３を駆動する。
【００２１】
メモリ９は、例えば、ＤＲＡＭからなり、撮像した画像データ、入力される音声データ、メモリカード１１から読み出したデータ等を一時的に格納するためのものであり、ＣＰＵ８やＤＳＰ部５のワークメモリとして使用される。
【００２２】
通信ドライバ部１０は、外部装置Ｉ１４とデータ通信を行うためのものである。外部装置ＩＩ１５は外部装置Ｉ１４と接続可能な装置である。ネットワーク通信部２０は、ネットワークとデータ通信するためのものである。
【００２３】
メモリカード１１は、デジタルカメラ本体に対して着脱可能に設けられ、画像ファイルや音声ファイルを格納する。表示部１２は、ＤＳＰ部５から入力される映像出力信号をＬＣＤ部で表示可能な信号に変換してＬＣＤ部に表示する表示コントローラと、映像を表示するＬＣＤ部とを備えている。
【００２４】
音声ＣＯＤＥＣ部１６は、入力アナログ部１７から入力されるアナログの音声データをデジタルの音声データに変換してＤＳＰ部５に出力し、また、ＤＳＰ部５から入力されるデジタルの音声データをアナログの音声データに変換して出力アナログ部１８に出力する。入力アナログ部１７は、外部の音声を入力するためのものであり、音声を電気信号である音声データに変換するマイクやアンプ等を備えている。出力アナログ部１８は、音声を外部に出力するためのものであり、アンプやスピーカーを備えている。
【００２５】
ＳＷ部１３は、使用者がデジタルカメラに各種指示を与えるための各種ボタンを備えており、例えば、撮影開始等を指示するためのシャッタボタンや、各種モードを設定するためのモード設定ダイヤル、音声の記録中にミュート処理を指示するための音声ミュート用ボタン等を備えている。上述のモード設定ダイヤルは、静止画を記録するための静止画モード、動画像および音声を記録するための動画モード、および音声を記録するための音声モード等を設定するためのものである。また、上述のシャッタボタンは、２段階のＳＷとなっており、その半押し（第１の押し込みストローク）で第１ＳＷオン、その全押し（第２の押し込みストローク）で第２ＳＷオンとなる。また、シャッタボタンは、全押しが解除されると第２ＳＷオフ、半押しが解除されると、第１ＳＷオフとなる。シャッタボタンの第１ＳＷオンおよび第２ＳＷオンの指示機能は、各モード（静止画モード、動画モード、音声モード）で異なるが、その詳細は後述する。
【００２６】
ＣＰＵ８は、ＳＷ部１３からの指示（ＳＷ情報）に基づいて、ＦＬＡＳＨ−ＲＯＭ１９に格納された制御プログラムに従ってデジタルカメラの各部の動作を制御する。ＦＬＡＳＨ−ＲＯＭ１９に格納される制御プログラムは、ネットワークを介して配信可能となっており、また、ネットワークを介してダウンロードして格納可能となっている。また、ＦＬＡＳＨ−ＲＯＭ１９には、接続される外部装置Ｉ１４、外部装置ＩＩ１５からプログラムが書込可能となっている。
【００２７】
ＣＰＵ８は、静止画を記録するための静止画モード、動画像および音声を記録するための動画モード、および音声を記録するための音声モード等を備えており、各モードの実行を制御する。
【００２８】
図２は、図１のＣＰＵ８のメイン処理（メイン処理ブロック）のプログラム構成図である。同図において、ＳＷ判定処理２１は、所定タイミング毎に定期タイマ割り込み処理でＳＷ部１３から入力されるＳＷ情報に基づいて、ＡＥ／ＡＦ処理２２、静止画記録処理２３、動画記録開始処理２４、動画記録終了処理２５、音声記録開始処理２６、音声記録終了処理２７、ミュート処理２８、ミュート解除処理２９の各処理ブロックに作業を振り分ける。なお、ＳＷ判定処理２１は、ＳＷがオフからオンした場合に、オン判定処理を行い、ＳＷを押し続けた時には、それを無視する処理も含んでいる。
【００２９】
プログラム構成上は、上記メイン処理ブロックと併行して動作する動画記録処理ブロックおよび音声記録処理ブロック（不図示）がある。メモリカード１１へのデータ書込やファイル管理も動画記録処理ブロックおよび音声記録処理ブロックに含まれる。これら動画記録処理ブロックや音声記録処理ブロックは、メイン処理ブロックからの動画記録開始／終了処理２４、２５、音声記録開始／終了処理２６、２７で制御される。
【００３０】
つぎに、ＣＰＵ８のメイン処理を図３のフローチャートを参照して説明する。図３は、ＣＰＵ８のメイン処理を説明するためのフローチャートを示している。
【００３１】
図３において、まず、ＣＰＵ８はＳＷ判定処理を行って、ＳＷ部１３のシャッタボタンの第１ＳＷ、第２ＳＷがオンされたか否かを判定する（ステップＳ１）。このＳＷ判定の結果、ＣＰＵ８は、第１ＳＷがオンされたと判定した場合には、ＳＷ部１３のモード設定ダイヤルで設定されるデジタルカメラのモード判定を行う（ステップＳ２）。
【００３２】
このモード判定の結果、ＣＰＵ８は、静止画モードであると判定した場合には、ＡＥ／ＡＦ処理を行った後（ステップＳ３）、ステップＳ１に戻る。また、ステップＳ２のモード判定の結果、動画モードであると判定した場合には、動画の記録中であるか否かを判定し（ステップＳ４）、動画の記録中である場合には、動画記録終了処理を実行した後（ステップＳ５）、ステップＳ１に戻る一方、動画の記録中でない場合には、ＡＥ／ＡＦ処理を行った後（ステップＳ６）、ステップＳ１に戻る。また、ステップＳ２のモード判定の結果、音声モードであると判定した場合には、音声の記録中であるか否かを判定し（ステップＳ７）、音声の記録中である場合には、音声記録終了処理を実行した後（ステップＳ８）、ステップＳ１に戻る一方、音声の記録中でない場合には、ステップＳ１に戻る。
【００３３】
他方、上記ステップＳ１のＳＷ判定の結果、ＣＰＵ８は、第２ＳＷがオンされたと判定した場合には、ステップＳ９に移行して、モード判定を行う。このモード判定の結果、ＣＰＵ８は、静止画モードであると判定した場合には、静止画記録処理を実行した後（ステップＳ１０）、ステップＳ１に戻る。また、動画モードであると判定した場合には、動画記録処理を開始した後（ステップＳ１１）、ステップＳ１に戻る。また、音声モードであると判断した場合には、音声記録処理を開始した後（ステップＳ１２）、ステップＳ１に戻る。
【００３４】
つぎに、上記デジタルジタルカメラの各モード（▲１▼静止画モード、▲２▼動画モード、▲３▼静止画モード）の動作を図３のフローチャートを参照して詳細に説明する。
【００３５】
▲１▼静止画モード
静止画モードの場合には、まず、ＳＷ部１３のシャッタボタンの第１ＳＷがＯＮされると、ＣＰＵ８は、ＡＥ／ＡＦ処理を実行する（上記ステップＳ３）。具体的には、このＡＥ／ＡＦ処理では、ＣＰＵ８は、ドライバ部６を制御してレンズ１を移動させて、フォーカスを合わせる。また、ＣＰＵ８は、ＣＣＤ３を介して撮影データを取り込み、ＤＳＰ部５で取り込んだ撮像データに基づいてＡＥ評価値を算出させ、ＣＣＤ駆動回路部７に設定する露光時間等の露光条件を決定する。
【００３６】
つづいて、シャッタボタンの第１ＳＷオン状態が継続して第２ＳＷがオンされると、ＣＰＵ８は、静止画の記録を行う（上記ステップＳ１０）。具体的には、ＣＣＤ３から取り込まれた撮像データは、ＤＳＰ部５で画像処理／圧縮処理が行われた後、メモリ９に書き込まれる。ＣＰＵ８は、メモリ９に書き込まれた圧縮画像データを静止画ファイルとしてメモリカード１１に書き込む。
【００３７】
▲２▼動画モード
動画モードの場合には、まず、ＳＷ部１３のシャッタボタンが半押しされて第１ＳＷがＯＮされると、ＣＰＵ８は、静止画モードと同様のＡＥ／ＡＦ処理を実行する（上記ステップＳ６）。続いて、シャッタボタンが全押しされると、すなわち、第１ＳＷオン状態が継続して第２ＳＷがオンされると、動画の記録処理を開始する（上記ステップＳ１１）。具体的には、ＤＳＰ部５は、１秒間に例えば、１５枚の画像を圧縮して、メモリ９に順次書き込む。この動作と併行して、ＤＳＰ部５は、入力アナログ部１７から入力され、音声ＣＯＤＥＣ部１６でデジタル変換された音声データに対して圧縮処理を施し、この圧縮音声データをメモリ９に順次書き込む。
【００３８】
そして、ＣＰＵ８は、例えば、１秒間のメモリ９内の動画（圧縮画像データ）と圧縮音声データを１パッケージの動画ファイルとしてメモリカード１１に書き込む。この作業と併行して、ＤＳＰ部５は、次の一秒間の動画（圧縮画像データ）と圧縮音声データをメモリ９内の別のエリアに書き込んでいく。
【００３９】
そして、シャッタボタンの押圧が解除された後、すなわち、第２ＳＷおよび第１ＳＷのオンが解除された後、動画記録中に、再び、シャッタボタンが押圧されて第１ＳＷがオンされると（上記ステップＳ５）、上記動画記録を停止して、ＣＰＵ８は、メモリ９内のデータをメモリカード１１に書き込むと同時に、それまで書き込まれた動画と音声データを、メモリカード１１内のファイル情報エリアにファイル登録して、動画ファイルの記録を完了する。
【００４０】
ここで、動画を記録する際の使用者のシャッタボタンの操作について説明する。使用者は、ＳＷ部１３のモード設定ダイヤルで動画モードを選択する。そして、使用者は、シャッタボタンを全押しして動画の記録を開始した後、シャッタボタンの押圧を解除する。そして、使用者は、動画の記録を停止したい時に、シャッタボタンを軽く押す（半押しする）。これにより、動画記録処理が停止される。したがって、使用者は、シャッタボタンを軽く押すだけで、動画記録を停止することができ、動画記録を停止させる際に記録される操作音を小さくすることが可能となる。
【００４１】
▲３▼音声モード
音声モードの場合には、まず、ＳＷ部１３のシャッタボタンが全押しされて第２ＳＷがオンされると、ＣＰＵ８は、音声記録処理を開始する（上記ステップＳ１２）。具体的には、ＤＳＰ部５は、入力アナログ部１７から入力され、音声ＣＯＤＥＣ部１６でデジタル変換された音声データに対して圧縮処理を施し、この圧縮音声データをメモリ９に順次書き込む。ＣＰＵ８は、メモリ９に書き込まれた圧縮音声データを音声ファイルとして順次、カードメモリ１１に書き込む。
【００４２】
そして、シャッタボタンの押圧が解除された後、すなわち、第２ＳＷおよび第１ＳＷのオンが解除されて、第２ＳＷおよび第１ＳＷがオフとなった後、音声記録動作中に、再び、シャッタボタンが押圧されて、第１ＳＷがオンされると、ＣＰＵ８は、音声処理を停止して（上記ステップＳ８）、ＣＰＵ８は、これまでメモリ９に書き込まれた圧縮音声データを、メモリカード１１内のファイル情報エリアに登録して、音声ファイルの記録を完了する。
【００４３】
ここで、音声を記録する際の使用者のシャッタボタンの操作について説明する。使用者は、ＳＷ部１３のモード設定ダイヤルで音声モードを選択する。そして、使用者は、シャッタボタンを全押しして音声の記録を開始した後、シャッタボタンの押圧を解除する。そして、使用者は、音声の記録を停止したい時に、シャッタボタンを軽く押す（半押しする）。これにより、音声記録処理が停止される。したがって、使用者は、シャッタボタンを軽く押すだけで、音声記録を停止することができ、音声処理を停止させる際に記録される操作音を小さくすることが可能となる。
【００４４】
なお、図３のフローチャートで示していないが、ＳＷ部１３の音声ミュート用ボタンの操作に応じて、ＣＰＵ８はミュート処理を行い、音声記録の録音レベルを小さくする処理を行う。具体的には、ＣＰＵ８は、ミュート処理では、入力アナログ部１７の回路を切替えて音声の入力レベルを小さくしたり、または、ＤＳＰ部５の音声データのレベルを小さくする設定などを行う。かかるミュート処理により、録音中に、大きな音がした場合や、カメラ操作者の声などの不要な音の録音を防止できる。なお、ＣＰＵ８によるミュート処理は、音声ミュート用ボタンが操作されている期間（音声ミュート用ボタンがオンとなっている期間）に行うことにしても良く、また、音声ミュート用ボタンの一回目の操作でミュート処理を開始して、音声ミュート用ボタンの２回目の操作でミュート処理を解除することにしても良い。なお、かかるミュート処理を行う場合には、シャッタボタンの第２ＳＷのオンで音声記録処理を停止することにしても、その操作音が記録されるのを低減することが可能となる。
【００４５】
以上説明したように、実施の形態１においては、動画モードでは、ＣＰＵ８は、シャッタボタンの第１ＳＷおよび第２ＳＷがオンされると、動画および音声の記録を開始し、シャッタボタンの第１ＳＷおよび第２ＳＷのオンが解除された後、再びシャッタボタンが半押しされて第１ＳＷがオンされると、動画および音声の記録を終了することとしたので、ユーザは、シャッタボタンを軽く押して、第１ＳＷをオンさせるだけで、動画および音声の記録を停止でき、その際記録される操作音を小さくすることが可能となる。
【００４６】
また、実施の形態１においては、音声モードでは、ＣＰＵ８は、シャッタボタンの第２ＳＷがオンされると、音声の記録を開始し、シャッタボタンの第１ＳＷおよび第２ＳＷのオンが解除された後、再びシャッタボタンが半押しされて第１ＳＷがオンされると、音声の記録を終了することとしたので、ユーザは、シャッタボタンを軽く押して、第１ＳＷをオンさせるだけで、音声の記録を停止でき、その際記録される操作音を小さくすることが可能となる。
【００４７】
（実施の形態２）
つぎに、実施の形態２にかかるデジタルカメラを説明する。デジタルカメラの構成は、実施の形態１（図１参照）と同様であるのでその説明を省略する。実施の形態２のデジタルカメラでは、実施の形態１の音声ミュート用ボタンの機能（ミュート処理の開始指示機能と解除指示機能）を、ＳＷ部１３のシャッタボタンに担わせたものである。
【００４８】
図４を参照して、実施の形態２におけるＣＰＵ８のメイン処理を説明する。図４は、実施の形態２におけるＣＰＵ８のメイン処理を説明するためのフローチャートを示している。図４において、まず、ＣＰＵ８はＳＷ判定処理を行って、ＳＷ部１３のシャッタボタンの第１ＳＷ、第２ＳＷがオンされたか否かを判定する（ステップＳ２１）。このＳＷ判定の結果、ＣＰＵ８は、第１ＳＷがオンされたと判定した場合には、モード判定を行う（ステップＳ２２）。
【００４９】
このモード判定の結果、ＣＰＵ８は、静止画モードであると判定した場合には、ＡＥ／ＡＦ処理を行った後（ステップＳ２３）、ステップＳ２１に戻る。また、ステップＳ２２のモード判定の結果、動画モードであると判定した場合には、動画の記録中であるか否かを判定し（ステップＳ２４）、動画の記録中である場合には、ミュート処理を開始した後（ステップＳ２５）、ステップＳ２１に戻る一方、動画の記録中でない場合には、ＡＥ／ＡＦ処理を行った後（ステップＳ２６）、ステップＳ２１に戻る。また、ステップＳ２２のモード判定の結果、音声モードであると判定した場合には、音声の記録中であるか否かを判定し（ステップＳ２７）、音声の記録中である場合には、ミュート処理を開始した後（ステップＳ２８）、ステップＳ２１に戻る一方、音声の記録中でない場合には、ステップＳ２１に戻る。
【００５０】
他方、上記ステップＳ２１のＳＷ判定の結果、ＣＰＵ８は、第２ＳＷがオンされたと判定した場合には、ステップＳ２９に移行して、モード判定を行う。このモード判定の結果、ＣＰＵ８は、静止画モードであると判定した場合には、静止画記録処理を実行した後（ステップＳ３０）、ステップＳ２１に戻る。また、ステップＳ２１のＳＷ判定の結果、動画モードであると判定した場合には、ミュート中であるか否かを判定し（ステップＳ３１）、ミュート中であると判定した場合には、動画記録終了処理を実行した後（ステップＳ３２）、ステップＳ２１に戻る一方、ミュート中でないと判定した場合には、動画記録開始処理を実行した後（ステップＳ３３）、ステップＳ２１に戻る。また、ステップＳ２９のモード判定の結果、音声モードであると判定した場合には、ミュート中であるか否かを判定し（ステップＳ３４）、ミュート中であると判定した場合には、音声記録終了処理を実行した後（ステップＳ３５）、ステップＳ２１に戻る一方、ミュート中でないと判定した場合には、音声記録開始処理を実行した後（ステップＳ３６）、ステップＳ２１に戻る。
【００５１】
さて、上記ステップＳ２１のＳＷ判定の結果、ＣＰＵ８は、第１ＳＷがオフされたと判定した場合には、ステップＳ３７に移行して、モード判定を行う。このモード判定の結果、ＣＰＵ８は、動画モードであると判定した場合には、ミュート中であるか否かを判定し（ステップＳ３８）、ミュート中であると判定した場合には、ミュート解除処理を実行した後（ステップＳ３９）、ステップＳ２１に戻る一方、ミュート中でないと判定した場合には、そのままステップＳ２１に戻る。また、ステップＳ３７のモード判定の結果、音声モードであると判定した場合には、ミュート中であるか否かを判定し（ステップＳ４０）、ミュート中であると判定した場合には、ミュート解除処理を実行した後（ステップＳ４１）、ステップＳ２１に戻る一方、ミュート中でないと判定した場合には、そのままステップＳ２１に戻る。
【００５２】
つぎに、上記デジタルジタルカメラの各モード（▲２▼動画モード、▲３▼音声モード）の動作を上記図４のフローチャートを参照して詳細に説明する。その際、実施の形態１と同様な動作はその詳細な説明を省略する。また、▲１▼静止画モードの動作は実施の形態１と同様であるのでその説明は省略する。
【００５３】
▲２▼動画モード
動画モードの場合には、まず、ＳＷ部１３のシャッタボタンが半押しされて第１ＳＷがＯＮされると、ＣＰＵ８は、静止画モードと同様のＡＥ／ＡＦ処理を実行する（上記ステップＳ２６）。続いて、シャッタボタンが全押しされると、すなわち、第１ＳＷオン状態が継続して第２ＳＷがオンされると、動画の記録処理を開始する（上記ステップＳ３３）。
【００５４】
そして、シャッタボタンの押圧が解除された後、すなわち、第２ＳＷおよび第１ＳＷのオンが解除された後、シャッタボタンが半押しされて第１ＳＷがオンされると、ＣＰＵ８は、ミュート処理を開始して無音で音声を記憶する（ステップＳ２５）。このミュート処理が開始されると、ミュート処理が解除されるまでミュート処理を継続する。
【００５５】
ミュート処理実行中に、シャッタボタンの半押しが解除されて、第１ＳＷがオフされた場合には、ＣＰＵ８は、ミュート処理を解除して、音声の記録レベルを通常のレベルに戻す（上記ステップＳ３９）。他方、ミュート処理実行中に、シャッタボタンが全押しされて第２ＳＷがオンされると、ＣＰＵ８は、動画録処理を停止する（ステップ上記Ｓ３２）。
【００５６】
ここで、動画を記録する際の使用者の操作について説明する。使用者は、ＳＷ部１３のモード設定ダイヤルで動画モードを選択する。そして、使用者は、シャッタボタンを全押しして動画の記録を開始した後、シャッタボタンの押圧を解除する。そして、使用者は、動画の記録を停止したい時に、シャッタボタンを全押しする。その際、シャッタボタンの半押しの過程でミュート処理が開始され、全押しされると、動画記録処理が停止される。したがって、ミュート処理が行われている途中で動画の記録が停止され、シャッタボタンの全押しによる音の記録が低減されることになる。
【００５７】
▲３▼音声モード
音声モードの場合には、まず、ＳＷ部１３のシャッタボタンが全押しされて第２ＳＷがオンされると、ＣＰＵ８は、音声記録処理を開始する（上記ステップＳ３６）。
【００５８】
そして、シャッタボタンの押圧が解除された後、すなわち、第２ＳＷおよび第１ＳＷのオンが解除された後、シャッタボタンが半押しされて第１ＳＷがオンされると、ＣＰＵ８は、ミュート処理を開始して音声を無音で記憶する（上記ステップＳ２８）。ミュート処理が開始されると、ミュート処理が解除されるまでミュート処理を継続する。
【００５９】
ミュート処理実行中に、シャッタボタンの半押しが解除されて、第１ＳＷがオフされた場合には、ＣＰＵ８は、ミュート処理を解除して（上記ステップＳ４１）、音声の記録レベルを通常のレベルに戻す。他方、ミュート処理実行中に、シャッタボタンが全押しされて第２ＳＷがオンされると、ＣＰＵ８は、音声記録処理を停止する（上記ステップＳ３５）。
【００６０】
ここで、音声を記録する際の使用者の操作について説明する。使用者は、ＳＷ部１３のモード設定ダイヤルで音声モードを選択する。そして、使用者は、シャッタボタンを全押しして音声の記録を開始した後、シャッタボタンの押圧を解除する。そして、使用者は、音声の記録を停止したい時に、シャッタボタンを全押しする。その際、シャッタボタンの半押しの過程でミュート処理が開始され、全押しされると、音声記録処理が停止される。したがって、ミュート処理が行われている途中で音声の記録が停止され、シャッタボタンの全押しによる音の記録が低減されることになる。
【００６１】
以上説明したように、実施の形態２においては、動画モードでは、ＣＰＵ８は、シャッタボタンの第１ＳＷおよび第２ＳＷがオンされると、動画および音声の記録を開始し、シャッタボタンの第１ＳＷおよび第２ＳＷのオンが解除された後、再びシャッタボタンが半押しされて第１ＳＷがオンされると、ミュート処理を開始し、第１ＳＷがオンされた状態で、シャッタボタンが全押しされて、第２ＳＷがオンされると、動画および音声の記録を終了することとしたので、ミュート処理を実行中に動画および音声の記録を停止でき、その際記録される操作音を小さくすることが可能となる。
【００６２】
また、実施の形態２においては、音声モードでは、ＣＰＵ８は、シャッタボタンが全押しされて第２ＳＷがオンされると、音声の記録を開始し、シャッタボタンの第１ＳＷおよび第２ＳＷのオンが解除された後、再びシャッタボタンが半押しされて第１ＳＷがオンされると、ミュート処理を開始し、第１ＳＷがオンされた状態で、シャッタボタンが全押しされて、第２ＳＷがオンされると、音声の記録を終了することとしたので、ミュート処理を実行中に音声の記録を停止でき、その際記録される操作音を小さくすることが可能となる。
【００６３】
なお、本発明は、上記した実施の形態に限定されるものではなく、発明の要旨を変更しない範囲で適宜変形可能である。
【００６４】
【発明の効果】
請求項１にかかるカメラによれば、音声の記録が可能なカメラにおいて、第１の押し込みストロークにより第１ＳＷをＯＮし、第１の押し込みストロークより大きい第２の押し込みストロークにより第２ＳＷをＯＮするシャッタボタンと、音声の記録を行うための音声モードを設定するモード設定手段と、外部の音声を記録するための音声記録手段と、シャッタボタンの操作に応じて、各部の動作を制御する制御手段と、を備え、制御手段は、モード設定手段で音声モードが設定された際には、第２ＳＷのＯＮにより音声の記録を開始し、第１および第２ＳＷのオフ後、再び第１ＳＷがＯＮされた場合に、ミュート処理を開始するとともに、第２ＳＷがＯＮされた場合に、音声の記録を停止することとしたので、簡単な制御および構成により、音声モードで音声の記録の停止を操作するシャッタボタンの操作音が記録されるのを可及的に防止可能なカメラを提供することが可能となるという効果を奏する。
【００７０】
また、請求項２にかかる発明は、音声および動画の記録が可能なカメラにおいて、第１の押し込みストロークにより第１ＳＷをＯＮし、前記第１の押し込みストロークより大きい第２の押し込みストロークにより第２ＳＷをＯＮするシャッタボタンと、動画および音声の記録を行うための動画モードを設定するモード設定手段と、外部の音声を記録するための音声記録手段と、シャッタボタンの操作に応じて、各部の動作を制御する制御手段と、を備え、制御手段は、モード設定手段で動画モードが設定された際には、第１ＳＷのＯＮにより撮影準備動作を実行し、第２ＳＷのＯＮにより動画および音声の記録を開始し、第１および第２ＳＷのオフ後、再び第１ＳＷがＯＮされた場合に、ミュート処理を開始するとともに、第２ＳＷがＯＮされた場合に、動画および音声の記録を停止することとしたので、簡単な制御および構成により、動画モードで音声の記録の停止を操作するシャッタボタンの操作音が記録されるのを可及的に防止可能なカメラを提供することが可能となるという効果を奏する。
【図面の簡単な説明】
【図１】実施の形態１にかかるデジタルカメラの構成を示すブロック図である。
【図２】図１のＣＰＵのメイン処理（メイン処理ブロック）のプログラム構成図である。
【図３】ＣＰＵのメイン処理（実施の形態１）を説明するためのフローチャートである。
【図４】ＣＰＵのメイン処理（実施の形態２）を説明するためのフローチャートである。
【符号の説明】
１    レンズ
２    メカニカルシャッタ
３    ＣＣＤ
４    ＣＤＳ・Ａ／Ｄ変換部
５    ＤＳＰ部
６    ドライバ部
７    ＣＣＤ駆動回路部
８    ＣＰＵ
９    メモリ
１０  通信ドライバ部
１１  メモリカード
１２  表示部
１３  ＳＷ部
１４  外部装置Ｉ
１５  外部装置ＩＩ
１６  音声ＣＯＤＥＣ部
１７  入力アナログ部
１８  出力アナログ部
１９  ＦＬＡＳＨ−ＲＯＭ
２０  ネットワーク通信部
【図１】
0004298191.tif 000002
【図２】
0004298191.tif 000003
【図３】
0004298191.tif 000004
【図４】
0004298191.tif 000005